(57)【要約】【課題】ＬＥＤの数を増やすことなく、照明器具の周囲を均一に光を照射する間接照明効果を得ることができる照明器具を提供する。【解決手段】本発明の照明器具は、間接照明ユニットを備える照明器具であって、前記間接照明ユニットは、ＬＥＤを有するＬＥＤ光源部と、ＬＥＤ光源部に一端部が接続された、柔軟性を有する円形断面の導光ロッドとを備え、ＬＥＤ光源部は、ＬＥＤが発する光を導光ロッドの端面に入射させるように構成され、導光ロッドは、端面から入射されたＬＥＤの光を、該光の一部を外周面から放射しながら軸方向に伝播するように構成される。【選択図】図２
2013165045.tif 000002
【特許請求の範囲】
【請求項１】
間接照明ユニットを備える照明器具であって、
前記間接照明ユニットは、
ＬＥＤを有するＬＥＤ光源部と、
前記ＬＥＤ光源部に一端部が接続された、円形断面の導光ロッドと、
を備え、
前記ＬＥＤ光源部は、前記ＬＥＤが発する光を前記導光ロッドの端面に入射させるように構成され、
前記導光ロッドは、前記端面から入射された前記ＬＥＤの光を、該光の一部を外周面から放射しながら軸方向に伝播するように構成されている、照明器具。
【請求項２】
前記ＬＥＤ光源部は、複数のＬＥＤを有し、該複数のＬＥＤのそれぞれが発する光を前記導光ロッドの端面に入射させるように構成されている、請求項１に記載の照明器具。
【請求項３】
前記ＬＥＤ光源部は、前記ＬＥＤを覆うＬＥＤカバーを有し、該ＬＥＤカバーと前記ＬＥＤとの間に透明樹脂が充填されている、請求項１又は２に記載の照明器具。
【請求項４】
前記ＬＥＤ光源部は、折り曲げ可能で可塑性を有するプリント基板を有し、
前記ＬＥＤは、前記プリント基板に設けられている、
請求項１〜３のいずれか１つに記載の照明器具。
【請求項５】
前記ＬＥＤ及び前記プリント基板として、本体部分を折り曲げたリードフレーム型ＬＥＤモジュールを用いた、請求項４に記載の照明器具。
【請求項６】
前記ＬＥＤ光源部は、照明器具本体の表面側に設けられ、
前記導光ロッドの一端部は、前記照明器具本体に設けられた貫通穴を通じて前記ＬＥＤ光源部と接続され、
前記導光ロッドの発光部分は、前記照明器具本体の背面に配置されている、請求項１〜５のいずれか１つに記載の照明器具。
【請求項７】
前記ＬＥＤ光源部は、直接照明用光源が設けられたプリント基板上に設けられている、請求項６に記載の照明器具。
【請求項８】
さらに、前記導光ロッドと前記貫通穴とを隙間を封止する封止樹脂を備える、請求項６又は７に記載の照明器具。
【発明の詳細な説明】
【技術分野】
【０００１】
本発明は、間接照明ユニットを備える照明器具に関する。
【背景技術】
【０００２】
従来、この種の照明器具としては、例えば、図１８及び１９に示すような構造のものが知られている。図１８及び１９に示す従来の照明器具は、天井面設置型の照明器具であり、照明器具本体１０１と、直接照明ユニット１０２と、間接照明ユニット１０３とを備えている。
【０００３】
直接照明ユニット１０２は、照明器具本体１０１の表面に設けられている。直接照明ユニット１０２は、ＬＥＤ（発光ダイオード）や蛍光灯などの直接照明用光源を有している。照明器具本体１０１には、該直接照明ユニット１０２を覆うように直接照明用カバー１０４が着脱自在に取り付けられている。直接照明用光源が発する光は、直接照明用カバー１０４を通じて下方に放射される。
【０００４】
間接照明ユニット１０３は、照明器具本体１０１の背面（天井面と対向する面）に設けられている。間接照明ユニット１０３は、１枚もしくは複数のプリント基板１３１と、複数の拡散レンズ１３２とを備えている。プリント基板１３１には、間接照明用光源として複数のＬＥＤ１３３が設けられている。拡散レンズ１３２は、ＬＥＤ１３３が発する光を拡散するように設けられている。照明器具本体１０１には、複数のプリント基板１３１及び複数の拡散レンズ１３２を覆うように間接照明用カバー１３４が着脱自在に取り付けられている。ＬＥＤ１３３が発する光を、拡散レンズ１３２で拡散させ、間接照明用カバー１３４を通じて天井面に放射させることにより間接照明効果を得ることができる。
【先行技術文献】
【特許文献】
【０００５】
【特許文献１】特開２００７−２１３９６７号公報
【発明の概要】
【発明が解決しようとする課題】
【０００６】
前記従来の照明器具においては、照明器具本体１０１のサイズが１つのＬＥＤ１３３に比べてかなり大きい。このため、照明器具の周囲を均一に光を照射する間接照明効果を得るためには、相当数のＬＥＤ１３３を設ける必要があり、プリント基板１３１及び拡散レンズ１３２の数も増加する。その結果、コストが高くなるとともに、間接照明ユニット１０２が大きくなり、照明器具本体１０１の背面と天井面との隙間が大きくなってしまう。
【０００７】
本発明の目的は、前記課題を解決することにあって、ＬＥＤの数を増やすことなく、周囲を均一に光を照射する間接照明効果を得ることができる照明器具を提供することにある。
【課題を解決するための手段】
【０００８】
前記目的を達成するために、本発明は以下のように構成する。
本発明の照明器具は、
間接照明ユニットを備える照明器具であって、
前記間接照明ユニットは、
ＬＥＤを有するＬＥＤ光源部と、
前記ＬＥＤ光源部に一端部が接続された、円形断面の導光ロッドと
を備え、
前記ＬＥＤ光源部は、前記ＬＥＤが発する光を前記導光ロッドの端面に入射させるように構成され、
前記導光ロッドは、前記端面から入射された前記ＬＥＤの光を、該光の一部を外周面から放射しながら軸方向に伝播するように構成されている、
ことを特徴とする。
【０００９】
前記ＬＥＤ光源部は、複数のＬＥＤを有し、該複数のＬＥＤのそれぞれが発する光を前記導光ロッドの端面に入射させるように構成されることが好ましい。
【００１０】
また、前記ＬＥＤ光源部は、前記ＬＥＤを覆うＬＥＤカバーを有し、該ＬＥＤカバーと前記ＬＥＤとの間に透明樹脂が充填されていることが好ましい。
【００１１】
また、前記ＬＥＤ光源部は、折り曲げ可能で可塑性を有するプリント基板を有し、
前記ＬＥＤは、前記プリント基板に設けられていることが好ましい。
【００１２】
また、前記ＬＥＤ及び前記プリント基板として、本体部分を折り曲げたリードフレーム型ＬＥＤモジュールを用いることが好ましい。
【００１３】
また、前記ＬＥＤ光源部は、照明器具本体の表面側に設けられ、
前記導光ロッドの一端部は、前記照明器具本体に設けられた貫通穴を通じて前記ＬＥＤ光源部と接続され、
前記導光ロッドの発光部分は、前記照明器具本体の背面に配置されていることが好ましい。
【００１４】
また、前記ＬＥＤ光源部は、直接照明用光源が設けられたプリント基板上に設けられていることが好ましい。
【００１５】
また、前記導光ロッドと前記貫通穴とを隙間を封止する封止樹脂を備えることが好ましい。
【発明の効果】
【００１６】
本発明にかかる照明器具によれば、前記構成を有することにより、ＬＥＤの数を増やすことなく、照明器具の周囲を均一に光を照射する間接照明効果を得ることができる。
【図面の簡単な説明】
【００１７】
【図１】本発明の第１実施形態にかかる照明器具の表面側の概略構成を示す分解斜視図である。
【図２】図１の照明器具の背面側の概略構成を部分的に拡大して示す斜視図である。
【図３】ＬＥＤ光源部の概略構成を示す縦断面図である。
【図４】ＬＥＤ光源部と導光ロッドとの接続部分の概略構成を示す横断面図である。
【図５】導光ロッドを径方向に切った断面図である。
【図６】導光ロッドを延在方向に切った断面図である。
【図７】図１の照明器具において、照明器具本体の形状を円盤状に変形した場合の概略構成を部分的に拡大して示す斜視図である。
【図８】図３のＬＥＤ光源部の第１変形例を示す縦断面図である。
【図９】図３のＬＥＤ光源部の第２変形例を示す縦断面図である。
【図１０】本発明の第２実施形態にかかる照明器具のＬＥＤ光源部の概略構成を示す縦断面図である。
【図１１】本発明の第３実施形態にかかる照明器具のＬＥＤ光源部の概略構成を示す縦断面図である。
【図１２】本発明の第４実施形態にかかる照明器具のＬＥＤ光源部の概略構成を示す縦断面図である。
【図１３】図１２の照明器具のＬＥＤ光源部の第１変形例を示す横断面図である。
【図１４】図１２の照明器具のＬＥＤ光源部の第２変形例を示す縦断面図である。
【図１５】本発明の第５実施形態にかかる照明器具の概略構成を示す一部拡大断面図である。
【図１６】本発明の第５実施形態にかかる照明器具の概略構成を一部断面で示す斜視図である。
【図１７】図１５の照明器具の変形例を示す一部拡大断面図である。
【図１８】従来の照明器具の表面側の概略構成を示す分解斜視図である。
【図１９】図１８の照明器具の背面側の概略構成を部分的に拡大して示す斜視図である。
【発明を実施するための形態】
【００１８】
以下、本発明の実施形態について、図面を参照しながら説明する。なお、本発明は、以下の実施形態に限定されるものではない。
【００１９】
《第１実施形態》
図１は、本発明の第１実施形態にかかる照明器具の表面側の概略構成を示す分解斜視図である。図２は、図１の照明器具の背面側の概略構成を部分的に拡大して示す斜視図である。
【００２０】
図１及び図２において、本第１実施形態にかかる照明器具は、天井面設置型の照明器具であり、照明器具本体１と、直接照明ユニット２と、間接照明ユニット３とを備えている。
【００２１】
照明器具本体１は、天井面に設置された引掛シーリング（図示せず）に取り付けられた引掛シーリングアダプタ（図示せず）と係合することにより、天井面の近傍で保持される。
【００２２】
直接照明ユニット２は、照明器具本体１の表面に設けられている。直接照明ユニット２は、ＬＥＤ（発光ダイオード）や蛍光灯などの直接照明用光源を有している。照明器具本体１には、該直接照明ユニット２を覆うように照明用カバー４が着脱自在に取り付けられている。直接照明用光源が発する光は、照明用カバー４を通じて下方に放射される。
【００２３】
間接照明ユニット３は、照明器具本体１の背面（天井面と対向する面）に設けられている。間接照明ユニット３は、ＬＥＤ光源部３１と、ＬＥＤ光源部３１に一端部が接続された、円形断面の導光ロッド３２とを備えている。
【００２４】
図３は、ＬＥＤ光源部３１の概略構成を示す縦断面図であり、図４は、その横断面図である。
【００２５】
図３及び図４に示すように、ＬＥＤ光源部３１は、プリント基板３３と、ＬＥＤ３４と、ＬＥＤカバー３５とを備えている。ＬＥＤ光源部３１は、ＬＥＤ３４が発する光を導光ロッド３２の端面３２ａに入射させるように構成されている。
【００２６】
プリント基板３３は、照明器具本体１の背面に設けられている。ＬＥＤ３４は、間接照明用光源としてプリント基板３３上に設けられている。ＬＥＤカバー３５は、ＬＥＤ３４を覆うように照明器具本体１の背面に設けられている。このＬＥＤカバー３５に導光ロッド３２の一端部が接続されている。
【００２７】
なお、ＬＥＤカバー３５の内面は、ＬＥＤ３４が発する光を反射するように構成されることが好ましい。例えば、ＬＥＤカバー３５は、光反射性が高い樹脂で構成されるか、あるいは、内面に金属メッキや白色塗装が施されることが好ましい。これにより、導光ロッド３２の端面３２ａに入射するＬＥＤ３４の光量を増加させることができる。
【００２８】
図５は、導光ロッド３２を径方向に切った断面図であり、図６は、導光ロッド３２を延在方向に切った断面図である。
【００２９】
導光ロッド３２は、照明器具本体１の背面に沿って設けられている。好ましくは、導光ロッド３２は、照明器具本体１の外周端部からの距離が等しい位置に設けられる。導光ロッド３２は、端面３２ａから入射されたＬＥＤ３４の光３４ａを、該光の一部を外周面から放射しながら軸方向Ｘに伝播するように構成されている。本第１実施形態では、導光ロッド３２は、樹脂の中実体であり、アクリルやエラストマーなどの透明樹脂で構成されるコア３６と、コア３６の底部に設けられた光散乱層３７と、コア３６及び光散乱層３７を覆うクラッド３８とを備えている。
【００３０】
導光ロッド３２の端面３２ａから入射したＬＥＤ３４の光３４ａは、クラッド３８に入射する。このとき、クラッド３８に対する入射角が臨界角よりも小さい光３４ａは、クラッド３８に反射され、軸方向Ｚに伝播される。光散乱層３７に入射した光は、光散乱層で散乱し、再びクラッド３８に入射する。この光の入射角はおおむね臨界角よりも大きいため、クラッド３８を通過して天井面に向けて放射される。このようにして、ＬＥＤ３４の光３４ａは、該光の一部をクラッド３８を通じて天井面に向けて放射しながら軸方向Ｘに伝播される。
【００３１】
本第１実施形態によれば、ＬＥＤ３４が発する光を導光ロッド３２の端面に入射させるように構成されているので、導光ロッド３２により間接照明効果を得ることができる。導光ロッド３２は線光源として機能するので、点光源であるＬＥＤ３４のみを用いる場合と比較して、照明器具の周囲をより均一に光を照射する間接照明効果を得ることができる。また、ＬＥＤ３４の数を減らすことができるので、照明器具全体にかかるコストを抑えることができる。
【００３２】
また、好ましくは、図２に示すように、１つのＬＥＤ光源部３１に対して複数の導光ロッド３２を接続することで、より少ない数のＬＥＤ３４で、照明器具の周囲を均一に光を照射する間接照明効果を得ることができる。
【００３３】
なお、本発明は前記第１実施形態に限定されるものではなく、その他種々の態様で実施できる。例えば、前記第１実施形態の照明器具は、天井面設置型の照明器具としたが、本発明はこれに限定されない。例えば、室内の側壁に設置される照明器具に使用されてもよい。すなわち、本発明にかかる照明器具は、間接照明ユニットを備える照明器具全般に利用することができる。
【００３４】
また、前記第１実施形態では、照明器具本体１の形状を矩形状としたが、本発明は、これに限定されない。例えば、図７に示すように、照明器具本体１の形状は、円盤状であってもよい。
【００３５】
また、前記第１実施形態では、図３に示すように、プリント基板３３を照明器具本体１の背面に設けたが、本発明はこれに限定されない。例えば、図８に示すように、プリント基板３３をＬＥＤカバー３５の内面に設けるようにしてもよい。
【００３６】
また、前記第１実施形態では、図３に示すように、ＬＥＤカバー３５を角張った形状（四角形）としたが、本発明はこれに限定されない。例えば、図９に示すように、ＬＥＤカバー３５は、ドーム形状であってもよい。また、この場合、ＬＥＤカバー３５は、導光ロッド３２の中心を軸としたドーム形状とすることが好ましい。これにより、ＬＥＤ３４が発する光を効率良く、導光ロッド３２の端面３２ａに集めることができる。
【００３７】
《第２実施形態》
図１０を用いて、本発明の第２実施形態にかかる照明器具について説明する。図１０は、本発明の第２実施形態にかかる照明器具のＬＥＤ光源部の概略構成を示す縦断面図である。本第２実施形態の照明器具が、前記第１実施形態の照明器具と異なる点は、プリント基板３３上に複数のＬＥＤ３４が設けられ、該複数のＬＥＤのそれぞれが発する光がＬＥＤカバー３５の空間内で混ざって導光ロッド３２の端面３２ａに入射されるように構成されている点である。
【００３８】
本第２実施形態によれば、複数のＬＥＤ３４を備えているので、発光特性がばらついている安価なＬＥＤを使用しても、所望の光を得ることができる。また、複数のＬＥＤ３４として互いに色の異なるＬＥＤ（例えば、白色のＬＥＤと電球色のＬＥＤ）を使用した場合には、所望の色の光を得ることができる。
【００３９】
《第３実施形態》
図１１を用いて、本発明の第３実施形態にかかる照明器具について説明する。図１１は、本発明の第３実施形態にかかる照明器具のＬＥＤ光源部の概略構成を示す縦断面図である。本第３実施形態の照明器具が、前記第１実施形態の照明器具と異なる点は、ＬＥＤカバー３５とＬＥＤ３４との間に透明樹脂３９が充填されている点である。
【００４０】
本第３実施形態によれば、ＬＥＤカバー３５とＬＥＤ３４との間に透明樹脂３９が充填されているので、ＬＥＤ３４が大気（雰囲気気体）に触れることを抑えることができる。これにより、ＬＥＤ３４が大気に含まれる腐食性ガスの影響を受けることを抑えることができる。
【００４１】
また、本第３実施形態によれば、透明樹脂３９によりプリント基板３３及びＬＥＤ３４を外界から遮断することができるので、水、湿気によるＬＥＤ３４の劣化、電気的ショートの発生を抑えることができる。これにより、ＬＥＤ３４として、水や湿気に弱い安価なＬＥＤを使用することができ、照明器具全体にかかるコストを抑えることができる。
【００４２】
なお、透明樹脂３９としては、例えば、透明性を有するホットメルト樹脂３９を用いることができる。
【００４３】
《第４実施形態》
図１２を用いて、本発明の第４実施形態にかかる照明器具について説明する。図１２は、本発明の第４実施形態にかかる照明器具のＬＥＤ光源部の概略構成を示す縦断面図である。本第４実施形態の照明器具が、前記第１実施形態の照明器具と異なる点は、プリント基板３３が、折り曲げ可能で可塑性を有するプリント基板３３Ａで構成されている点である。
【００４４】
プリント基板３３Ａは、例えば、金属で構成されている。ＬＥＤ３４の光は拡散性を有するが、その光量（発光強度）はＬＥＤ３４の正面から離れるに従い小さくなる。このため、本第４実施形態において、プリント基板３３Ａは、一部が照明器具本体１の背面に取り付けられ、他部が導光ロッド３２の端面３２ａに対向するように上方に折り曲げられている。この折り曲げ部分にＬＥＤ３４が、ハンダ付けなどにより設けられている。
【００４５】
本第４実施形態によれば、折り曲げ可能で可塑性を有するプリント基板３３Ａを用いることにより、ＬＥＤ３４の正面に導光ロッド３２ａの端面３２ａを位置させることができ、導光ロッド３２ａに入射する光量を大きくすることができる。
【００４６】
また、図１３に示すように、ＬＥＤ光源部３１に２つの導光ロッド３２が接続される場合には、それらの導光ロッド３２の端面３２ａに入射するＬＥＤ３４の光量が大きくなるようにＬＥＤ３４の角度を調整することができる。
【００４７】
なお、図１４に示すように、折り曲げ可能で可塑性を有するプリント基板３３Ｂの折り曲げ部分（本体部分）にあらかじめＬＥＤ３４を実装したリードフレーム型ＬＥＤモジュールが既に存在する。図１２に示すプリント基板３３Ａ及びＬＥＤ３４に代えて、該リードフレーム型ＬＥＤモジュールを用いることで、プリント基板にＬＥＤをハンダ付けするなどの工程を無くすことができる。また、部品点数を減らすことができる。
【００４８】
《第５実施形態》
図１５及び図１６を用いて、本発明の第５実施形態にかかる照明器具について説明する。図１５は、本発明の第５実施形態にかかる照明器具の概略構成を示す一部拡大断面図である。図１６は、本発明の第５実施形態にかかる照明器具の概略構成を一部断面で示す斜視図である。本第５実施形態の照明器具が、前記第１実施形態の照明器具と異なる点は、ＬＥＤ光源部３１が照明器具本体１の表面側に設けられ、導光ロッド３２の一端部が照明器具本体１に設けられた貫通穴１ａを通じてＬＥＤ光源部３１と接続されている点である。
【００４９】
本第５実施形態において、ＬＥＤ光源部３１は、直接照明用光源１２が設けられたプリント基板１１上に設けられている。また、プリント基板１１には、貫通穴１ａと対応する位置に貫通穴１１ａが設けられている。導光ロッド３２の一端部は、貫通穴１ａ，１１ａを通じてＬＥＤカバー３５ｃと接続されている。導光ロッド３２の発光部分は、照明器具本体１の背面に設けられている。
【００５０】
本第５実施形態によれば、直接照明用光源１２が設けられたプリント基板１１にＬＥＤ３４を設けているので、プリント基板３３を設ける必要性を無くすことができる。従って、部品点数を減らすことができる。
【００５１】
なお、図１７に示すように、照明器具本体１ａの貫通穴１ａと導光ロッド３２との隙間を封止するように、封止樹脂５が設けられることが好ましい。これにより、ごみ、埃、虫などの異物が照明器具本体１ａの表面側に侵入することを抑えることができる。なお、封止樹脂５としては、例えば、ホットメルト樹脂、柔軟性を有するシリコンなどを用いることができる。
【００５２】
また、照明器具本体１ａの表面側から導光ロッド３２が見えないように、導光ロッド３２を覆う遮光部材が設けられてもよい。これにより、間接照明用光源であるＬＥＤ３４のみ点灯させたときに、照明用カバー４を通じて導光ロッド３２を通る光が見えることを防ぐことができる。
【００５３】
なお、前記では、導光ロッド３２の一端部が貫通穴１１ａを通じてＬＥＤカバー３５ｃと接続されるものとしたが、本発明はこれに限定されない。例えば、プリント基板１１に貫通穴１１ａを設けずに、プリント基板１１の側方から導光ロッド３２の一端部をＬＥＤカバー３５ｃに接続するようにしてもよい。
【００５４】
なお、前記様々な実施形態のうちの任意の実施形態を適宜組み合わせることにより、それぞれの有する効果を奏するようにすることができる。
【符号の説明】
【００５５】
１    照明器具本体
１ａ  貫通穴
２    直接照明ユニット
３    間接照明ユニット
４    直接照明用カバー
５    封止樹脂
１１    プリント基板
１１ａ  貫通穴
１２    直接照明用光源
３１    ＬＥＤ光源部
３２    導光ロッド
３２ａ  端面
３３，３３Ａ，３３Ｂ    プリント基板
３４，３４Ｂ    ＬＥＤ
３５，３５Ａ，３５Ｂ，３５Ｃ    ＬＥＤカバー
３６    コア
３７    光散乱層
３８    クラッド
３９    透明樹脂
１０１    照明器具本体
１０２    直接照明ユニット
１０３    間接照明ユニット
【図１】
2013165045.tif 000003
【図２】
2013165045.tif 000004
【図３】
2013165045.tif 000005
【図４】
2013165045.tif 000006
【図５】
2013165045.tif 000007
【図６】
2013165045.tif 000008
【図７】
2013165045.tif 000009
【図８】
2013165045.tif 000010
【図９】
2013165045.tif 000011
【図１０】
2013165045.tif 000012
【図１１】
2013165045.tif 000013
【図１２】
2013165045.tif 000014
【図１３】
2013165045.tif 000015
【図１４】
2013165045.tif 000016
【図１５】
2013165045.tif 000017
【図１６】
2013165045.tif 000018
【図１７】
2013165045.tif 000019
【図１８】
2013165045.tif 000020
【図１９】
2013165045.tif 000021